(57)【要約】【課題】簡単な操作で短時間に爪にネイルアートを施すことができるネイルアート玩具を提供すること。【解決手段】玩具本体１内には所定のデザインのシールａがベーステープ６ａの裏面に仮着されたシールテープ６を供給する供給リール４と、この供給リール６に巻きつけられたシールテープ６を巻取る巻取リール５とを所定の間隔をおいて配置し、上記巻取リール５を玩具本体１の外部から回転操作可能に構成し、上記供給リール４と巻取リール５との中間には上記シールテープ６の下方に指先を載置する載置部５０を配置し、該載置部５０に対面するシールテープ６の上方には上記シールテープ６を載置部５０上の指の爪に押し付け、上記シールａを上記爪に転着する押圧部材３３を配置した。【選択図】図１
2006130052.tif 000002
【特許請求の範囲】
【請求項１】
以下の要件を備えることを特徴とするネイルアート玩具。
（イ）玩具本体内には所定のデザインが施されたシールがベーステープの裏面に仮着されたシールテープを供給する供給リールと、該供給リールに巻きつけられたシールテープを巻取る巻取リールとが配置され、供給リールと巻取リールとは所定の間隔をおいて配置されていること
（ロ）上記巻取リールは玩具本体の外部から回転操作可能に構成されていること
（ハ）上記供給リールと巻取リールとの中間に配置されるとともに上記シールテープの下方には指先を載置する載置部が配置されていること
（ニ）上記載置部に対面するシールテープの上方には上記シールテープを載置部上の指の爪に押し付け、上記シールを上記爪に転着する押圧部材が配置されていること
【請求項２】
以下の要件を備えることを特徴とする、請求項１記載のネイルアート玩具。
（イ）前記供給リールと巻取リールとは所定間隔をおいてカートリッジに内蔵され、該カートリッジは前記玩具本体に着脱可能に構成されていること
（ロ）上記カートリッジ内の巻取リールは、玩具本体に設けた回転部材の回転操作でシールテープを巻取るように構成されていること
（ハ）上記カートリッジの前面には前記載置部に対応して指を差し込む差込孔が形成され、上面には前記押圧部材に対応する開口部が形成されていること
【発明の詳細な説明】
【技術分野】
【０００１】
本発明は、ネイルアート玩具、詳しくはシールを爪に貼付して爪にアートを施すためのネイルアート玩具に関するものである。
【背景技術】
【０００２】
近年、爪に装飾を施すネイルアートが普及しているが、ワンポイント・マークの模様を爪に描くことは至難の業で、この問題を解決する方法として爪の一部にワンポイントのマニキュアを施すことができるネイルアートシートが提案されている（例えば、特許文献１）。
【０００３】
このネイルアートシールは、異なる所定の模様を描いた切抜き線が形成された単体シールを、所定の台紙上に複数枚着脱自在に仮着したもので、好きなデザインの模様の付いた単体シールを選んで台紙から剥がし、爪に貼って、単体シールの上からマニュキュアを塗ることにより爪に所望のデザインのアートを形成することができるようにしたものである。
【特許文献１】登録実用新案第３０４５８６２号公報
【発明の開示】
【発明が解決しようとする課題】
【０００４】
本発明が解決しようとする問題点は、上述のネイルアートシールを用いることにより、ネイルアートを確実に爪の上に施すことができるが、台紙から単体シールを剥がし、剥がした単体シールを爪に貼り、単体シールの上からマニキュアを施した後、単体シールを剥がせば所望のデザインのアートを爪に確実に形成することができるが、手間と時間がかかることは否めない点であった。
【０００５】
本発明は、上記問題点を解決し、簡単な操作で短時間に爪にネイルアートを施すことができるネイルアート玩具を提供することを課題とする。
【課題を解決するための手段】
【０００６】
前記課題を解決するために本発明に係るネイルアート玩具は、以下の要件を備えることを特徴とする。
（イ）玩具本体内には所定のデザインが施されたシールがベーステープの裏面に仮着されたシールテープを供給する供給リールと、該供給リールに巻きつけられたシールテープを巻取る巻取リールとが配置され、供給リールと巻取リールとは所定の間隔をおいて配置されていること
（ロ）上記巻取リールは玩具本体の外部から回転可能に構成されていること
（ハ）上記供給リールと巻取リールとの中間に配置されるとともに上記シールテープの下方には指先を載置する載置部が配置されていること
（ニ）上記載置部に対面するシールテープの上方には上記シールテープを載置部上の指の爪に押し付け、上記シールを上記爪に貼付する押圧部材が配置されていること
【０００７】
なお、前記ネイルアート玩具は、以下の要件を備えるようにしてもよい。
（イ）前記供給リールと巻取リールとは所定間隔をおいてカートリッジに内装され、該カートリッジは前記玩具本体に着脱可能に構成されていること
（ロ）上記カートリッジ内の巻取リールは、玩具本体に設けた回転部材の回転操作でシールテープを巻取るように構成されていること
（ハ）上記カートリッジの前面には前記載置部に対応して指を差し込む差込孔が形成され、上面には前記押圧部材に対応する開口部が形成されていること
【発明の効果】
【０００８】
請求項１の発明によれば、供給リールに巻かれたシールテープを巻取リールに巻き取り、シールが載置部に対応したところで載置部に指を載せ、押圧部材でシールテープを爪に押圧することによりベーステープに仮着されているシールは爪に転着し、簡単にネイルアートを実施することができる。
【０００９】
請求項２の発明によれば、玩具本体に供給リール、巻取リールを着脱する必要がないので取り扱い性に優れたネイルアート玩具を実現することができるとともに、カートリッジを入れ替えることにより様々なシールを爪に貼り付けることができるので、ネイルアートの楽しみを倍化させることができる。
【発明を実施するための最良の形態】
【００１０】
玩具本体内には所定のデザインが施されたシールがベーステープの裏面に仮着されたシールテープが巻きつけられた供給リールと、この供給リールに巻きつけられたシールテープを巻取る巻取リールとの２つのリールを所定間隔をおいて配置し、上記巻取リールは玩具本体の外部から回転操作可能に構成し、上記供給リールと巻取リールとの中間の上記シールテープの下方には指先を載置する載置部を配置し、上記載置部に対面するシールテープの上方には上記シールテープを載置部上の指の爪に押圧部材を配置し、押圧部材でシールテープを爪に押し付けることにより上記シールを上記爪に貼着させネイルアートができるようにした。
【実施例１】
【００１１】
図１は、本発明に係るネイルアート玩具を示し、このネイルアート玩具は玩具本体１とカートリッジ２とで構成され、カートリッジ２を交換することにより様々なネイルアートを爪に施すことができるようにしたものである。
【００１２】
カートリッジ２は、図２（ａ）に示すように、前面には指を差し込む差込穴１１が形成され、上面から背面にかけてシールテープを露出させるための開口部１２が形成され、内部には、図２（ｂ）に示すように、供給リール４と、巻取リール５とが配置され、供給リール４にはシールａがベーステープ６ａの上に仮着され、さらに剥離テープ６ｂでシールａが保護されたシールテープ６（図６参照）が予め巻き付けられている。
【００１３】
この供給リール４に巻き付けられているシールテープ６は、カートリッジ２を玩具本体１に装填し、玩具本体１に設けられたダイヤル７を回して巻取リール５を回転させ、供給リール４に巻かれているシールテープ６を巻取リール５に巻き取ることができるようになっている。
【００１４】
カートリッジ本体１０は、前部材１０ａと後部材１０ｂとで形成され、前部材１０ａの前面には指の先端を差し込むための差込穴１１が形成され、上面にはシールテープ６を指の爪に押し当てるための後述する押圧部材３３を没入させるための開口部１２ａが形成され、内壁面には供給リール４と、巻取リール５とをそれぞれ回転可能に支持する支軸１３、１４が形成されている。
【００１５】
後部材１０ｂは上面から背面に連続して開口部１２ｂが形成され、底面には後述する剥離テープ６ｂを排出する排出口１５ａと、この排出口１５ａに連接して剥離テープ６ｂを排出口１５ａに案内する案内板１５ｂとから構成される排出部１５が形成されている。開口部１２ｂは前部材１０ａと後部材１０ｂとを連結した際には、前部材１０ａの開口部１２ａと連続し、開口部１２が形成されるようになっている。
【００１６】
後部材１０ｂの内部には供給リール４に対応して、ラチェットギヤ１６が環状に形成されたラチェット板１７が支軸１８に支持されるとともに、適宜手段（接着剤など）で内壁面に固定されている。このラチェット板１７と支軸１８とは後部材１０ｂと一体に成形されていてもよい。そして、支軸１８には供給リール４を保持して回転する回転板２０に形成された軸部２１が回転可能に軸支され、この回転板２０には供給リール４を取り付けることができるようになっている。
【００１７】
なお、供給リール４の軸穴２２にはキー溝２２ａが形成され、回転板２０の軸部２１にはキー溝２０ａに対応してキー２１ａが形成され、供給リール４を回転板２０に取り付けたときにはキー溝２２ａとキー２１ａとが噛み合い、供給リール４と回転板２０とを一体で回転させることができるようになっている。
【００１８】
そして、上記回転板２０には上記ラチェット板１７のラチェットギヤ１６に噛み合う２つの係止爪２３が軸部２１に対して対称に形成されている。この係止爪２３はシールテープ６が巻取リール５に巻き取られて供給リール４が図３上で時計方向に回転する際に、惰性で回転してシールテープ６が弛まないように常にテンションをかけるようにするためのものである。
【００１９】
そして、巻取リール５に対応する壁面には、軸受け孔２５が形成されている。この軸受け孔２５は巻取リール５の軸２６が軸支される軸受け孔で、巻取リール５の軸２６が軸受け孔２６に、巻取リール５の軸孔２７に前部材１０ａの支軸１４がそれぞれ支持され巻取リール５が回転できるようになっている。軸２６の前面にはクラウンギヤ２６ａが形成され、カートリッジ２を玩具本体１にセットしたときには、玩具本体１に配置された後述する回転板５１の軸６０ｂのクラウンギヤ６１と噛み合い、回転板５１の回転に連動して巻取リール５が回転するようになっている。
【００２０】
玩具本体１は、図４に示すように、前部材１ａと後部材１ｂとで構成され、前部材１ａの前面には上述のカートリッジ２を挿入する開口部３０が形成され、上面には切欠き部３１ａが形成され、内面下部には後述する脚部材６５を回動可能に支持する支軸３２が形成されている。
【００２１】
後部材１ｂの上面には上記切欠き部３１ａに対応して切欠き部３１ｂが形成され、切欠き部３１ａ、３１ｂで押圧部材３３の下部を没入させる開口部３１を構成している。そして、背面には押圧部材３３を支持する支持板が３４が形成され、押圧部材３３は支軸３５を中心に上下に回動させることができるようになっている。
【００２２】
押圧部材３３は、図５（ａ）に示すように、基台３６と、基台３６の上に前後にスライド可能に配置されたスライド板３７と、スライド板３７に取り付けられたゴムローラ３８とで構成され、スライド板３７の上面に設けた葉っぱを模して形成された摘み３９を前後させるとスライド板３７が長穴３６ａに沿って前後にスライド移動し、ゴムローラ３８がシールテープ６を後述する載置部５０に載せた指に押圧することができるようにしたものである。この押圧部材３３は軸孔３６ｂに支軸３５を挿通し、上下に回動可能に支持板３４に支持されている。
【００２３】
この押圧部材３３はゴムローラに限定されるものではなく、図５（ｂ）に示すように、押しボタン方式であっても構わない。この押圧部材３３は上下２枚の支持板４０、４１で構成されたフレーム４２に上下動可能に配置されたボタン４３と支軸４４の下端に設けた押圧板４５で構成し、このボタン４３と押圧板４５とはスプリング４６で常に上動するように付勢され、ボタン４３を押下したときには押圧板４５がシールテープ６を載置部５０上の指に押し付けられるようになっていればよい。この押圧部材３３は支持板４１の前後に形成された張り出し部４１ａが開口部３１を跨ぐように配置されていればよい。
【００２４】
後部材１ｂの内壁面には、指を載置する載置部５０と、カートリッジ２の巻取リール５を回転させる回転板５１と、回転板５１の逆転を阻止するラチェット板５２と、回転板５１を回転させるダイヤル７、中間歯車５４が配置され、下部には後述する脚部材６５を回動可能に支持する支軸５５が形成されている。
【００２５】
押圧部材５０は指先を載せる載置板５０ａと爪先を支持する支持板５０ｂとで構成され、支持板５０ｂは爪の先端を下から支持するもので、押圧部材３３でシールテープ６を爪に押し付けたとき、爪の先端が下がらないようにするためのものである。
【００２６】
回転板５１は、適宜手段（接着剤など）で内壁面に固定されているラチェットギヤ５６が環状に形成されたラチェット板５２の支軸５７に回転可能に軸支されている。このラチェット板５２と支軸５７とは後部材１ｂと一体に成形されていてもよい。そして、回転板５１の軸部６０は二段軸で先端の軸部６０ａは巻取リール５の軸孔２６ｂに係合し、後端の軸部６０ａの先端にはクラウンギヤ６１が形成されている。
【００２７】
上記回転板５１には上記ラチェット板５２のラチェットギヤ５６に噛み合う２つの係止爪６２が軸部６０に対して対称に形成されている。この係止爪６２は回転板５１が逆転しないようにするためのもので、シールテープ６が巻取リール５に巻き取られて供給リール４が図３上で時計方向に回転する際に、惰性で回転してシールテープ６が弛まないように常にテンションをかけるようにするためのものである。
【００２８】
なお、前部材１ａの内壁面に形成された板部材６３及び後部材１ｂの内壁面に形成された板部材６４は、前部材１ａの開口部３０から差し込んだカートリッジ２を保持する保持板を示し、符号６５は玩具本体１を支持する脚部材を示す。この脚部材６５は前部材１ａに形成された支軸３２と、後部材１ｂに形成された支軸５５とで回動可能に軸支され、使用しないときには玩具本体１内に回動して収容し、玩具本体１がリンゴの形態をなすように構成されている。
【００２９】
シールテープ６は、図６（ａ）（ｂ）に示すように、透明なベーステープ６ａ裏側面にシールａの上面が仮着され、シールａの下面には接着層ｂが形成され、この接着層ｂは剥離テープ６ｂで保護されているものである。シールテープ６は剥離テープ６ｂの前部を剥がした状態でベーステープ６ａの先端を巻取リール５に取り付け、剥離テープ６ｂの前部はガイド板１５ｂに案内されて排出口１５ａからカートリッジ２の外部に引き出した状態にして、前部材１０ａと後部材１０ｂとを結合させ、カートリッジ２を形成しておけばよい。
【００３０】
次に、上記構成のネイルアート玩具の使用態様について説明する。
【００３１】
先ず、カートリッジ２を玩具本体１の前面の開口部３０から差し込む。このとき、回転板５１のクラウンギヤ６１と、巻取リール５のクラウンギヤ２６ａが噛み合い、差込穴１１が載置部５０に対応する位置にセットされる。
【００３２】
次に、ダイヤル７を回して、中間歯車５４を介して回転板５１を回転させる。回転板５１の回転に連係して巻取リール５が回転し、シールテープ６を巻き取る。このとき、剥離テープ６ｂはベーステープ６ａから剥がれ、排出口１５ａからカートリッジ２の外に順次排出される。透明なベーステープ６ａの裏面にはシールａが仮着されているので、玩具本体１の上部の開口部３１からシールａを視認することができ、シールａが載置部５０の上方に到達したことを確認したら、図７（ａ）に示すように、ネイルアートを施したい指の先を差込穴１１に差し込み、図８（ａ）に示すように、指先を載置板５０ａに、爪先を支持板５０ｂの上に載せた状態で、押圧部材３３を下方に回動させてシールａの仮着しているベーステープ６ａを爪に押し付け、図８（ｂ）に示すように、摘み３９を図示しないもう一方の手で摘んで前後に往復させ、ゴムローラ３８を爪に圧接した状態で前後に往復動させる。シールａの裏面には粘着層ｂが形成されているので、図８（ｃ）に示すように、シールａはベーステープか６ａから剥がれて爪に貼着されるので、図７（ｂ）に示すように、爪にシールａを貼着することができる。
【００３３】
なお、押圧部材３３が押しボタン式の場合は、玩具本体１の上部の開口部３１からシールａが載置部５０の上方に到達したことを確認したら、図９（ａ）に示すように、ネイルアートを施したい指の先を差込穴１１に差し込んで指先を載置板５０ａに、爪先を支持板５０ｂの上に載せた状態で、押圧部材３３を開口部３１にセットし、図９（ｂ）に示すように、ボタン４３をスプリング４６に抗して押下し、押圧板４５でシールａの仮着しているベーステープ６ａを爪に押し付ける。シールａの裏面には粘着層ｂが形成されているので、図９（ｃ）に示すように、シールａはベーステープ６ａから剥がれて爪に貼着されるので、図７（ｂ）に示すように、爪にシールａを貼着することができる。
【００３４】
上述のように、ダイヤルを回してシールが爪に対応する位置になったならば、差込穴に指の先を差し込み、押圧部材を押圧操作すれば爪にシールａを貼り付けることができ、簡単にネイルアートを施すことができる。
【００３５】
なお、異なったデザインのシールを爪に貼り付けたい場合は、好みのデザインのシールが設定されているカートリッジに交換すれば、好みのデザインのネイルアートをすることができる。
【図面の簡単な説明】
【００３６】
【図１】本発明に係るネイルアート玩具の構成を説明する斜視図
【図２】（ａ）（ｂ）はカートリッジの斜視図及び内部を透視した透視斜視図
【図３】上記カートリッジの分解斜視図
【図４】玩具本体の分解斜視図
【図５】（ａ）（ｂ）は押圧部材を説明する斜視図
【図６】（ａ）（ｂ）はシールテープの構成を説明する側面図及び斜視図
【図７】（ａ）（ｂ）はネイルアート玩具の使用態様の説明図
【図８】（ａ）〜（ｃ）は押圧部材でシールを爪に貼着する状態を説明する要部を切断した側面図
【図９】（ａ）〜（ｃ）は他の押圧部材でシールを爪に貼着する状態を説明する要部を切断した側面図
【符号の説明】
【００３７】
１    玩具本体
２    カートリッジ
４    供給リール
５    巻取リール
６    シールテープ
６ａ    ベーステープ
３３    押圧部材
３６    載置部
ａ    シール
【図１】
2006130052.tif 000003
【図２】
2006130052.tif 000004
【図３】
2006130052.tif 000005
【図４】
2006130052.tif 000006
【図５】
2006130052.tif 000007
【図６】
2006130052.tif 000008
【図７】
2006130052.tif 000009
【図８】
2006130052.tif 000010
【図９】
2006130052.tif 000011